(57)【要約】【課題】製造コストが安価で、且つ、外壁に馴染ませてバリア感を取り除くことが可能であり、重厚なデザインの提案が容易な玄関用収納棚を提供する。【解決手段】鋳物製のパネル２と、前面が略円弧形状で上面視略扇型の上面板３と、上面板３の下方に適宜間隔をおいて配置し前面が略円弧形状で上面視略扇型の棚板４、４、・・・とを備え、鋳物製のパネル２は玄関に隣接する外壁入隅部の左右の外壁面５、５に当接して上面板３及び棚板４、４、・・・の前面の円弧の両端部に位置する左右の竪框部２１、２１と、左右の竪框部２１、２１間に位置して上面板３及び棚板４、４、・・・の前面と同一曲率の略円弧形状を有する複数の横框部２２、２２、・・・とで複数の開口部２３、２３、・・・を形成してあり、上面板３及び棚板４は前面を横框部２２で被覆している。【選択図】        図１
2004148017.tif 000002
【特許請求の範囲】
【請求項１】
鋳物製のパネルと、前面が略円弧形状で上面視略扇型の上面板と、上面板の下方に適宜間隔をおいて配置し前面が略円弧形状で上面視略扇型の棚板とを備え、鋳物製のパネルは、上面板及び棚板の前面の円弧の両端部に位置する左右の竪框部と、左右の竪框部間に位置して上面板及び棚板の前面と同一曲率の略円弧形状を有する複数の横框部とで複数の開口部を形成して上面板及び棚板の前面を横框部で被覆しており、玄関に隣接する外壁入隅部に固定してあることを特徴とする玄関用収納棚。
【請求項２】
棚板の前面を被覆する横框部の上方に配置した横框部を、棚板に載置した載置物の転倒若しくは落下防止部としてあることを特徴とする請求項１に記載の玄関用収納棚。
【発明の詳細な説明】
【０００１】
【発明が属する技術分野】
本発明は例えば、表札、インターホン、照明器具などを取付けて玄関の屋外側に設置する玄関用収納棚に関するものである。
【０００２】
【従来の技術】
従来から知られている玄関用収納棚に関連する技術として、集合住宅用エントランスポールを玄関先に設置する方法（例えば、特許文献１参照）、また、ドア枠の袖部に配達物の受け取り装置や換気扇を取り付ける構造（例えば、特許文献２参照）、或いは類似の構造物の構造として入隅コーナー部に設置するフラワースタンドの構造（例えば、特許文献３参照）が開示されている。
【０００３】
【特許文献１】
特開２００１−１３２２７１号公報
【特許文献２】
実開平３−１４２８８号公報
【特許文献３】
意匠登録第８４５５７３号公報
【０００４】
【発明が解決しようとする課題】
しかし、上記した従来の玄関用収納棚に関連する技術では、例えば、特開２００１−１３２２７１号の集合住宅用エントランスポールを玄関先に設置する方法ではエントランスポールが自立型なので製造コストが高くつき、また、玄関前を狭めることとなる為にバリヤー感が生ずるといった問題があり、また、実開平３−１４２８８号の如くドア枠の袖部を利用する方法では必要な機能部品を玄関枠内に収める構造なので玄関自体が大型化することや製造コストが高くなるといった問題がある。さらに、意匠登録第８４５５７３号のフラワースタンドでは棚板を固定するのに２枚の側板を用いるので材料費が高くつき、また前面のデザイン性を向上するのが困難である、という問題があり、これらの問題を解決することが従来の課題となっていた。
【０００５】
【発明の目的】
本発明は、上記した従来の課題に着目してなされたもので、製造コストが安価で、且つ、外壁に馴染ませてバリア感を取り除くことが可能であり、デザイン変更や重厚なデザインの提案が容易な玄関用収納棚を提供することを目的としている。
【０００６】
【課題を解決するための手段】
本発明の請求項１に係わる玄関用収納棚は、鋳物製のパネルと、前面が略円弧形状で上面視略扇型の上面板と、上面板の下方に適宜間隔をおいて配置し前面が略円弧形状で上面視略扇型の棚板とを備え、鋳物製のパネルは、上面板及び棚板の前面の円弧の両端部に位置する左右の竪框部と、左右の竪框部間に位置して上面板及び棚板の前面と同一曲率の略円弧形状を有する複数の横框部とで複数の開口部を形成して上面板及び棚板の前面を横框部で被覆しており、玄関に隣接する外壁入隅部に固定してある構成を前述した従来の課題を解決するための手段としている。
【０００７】
本発明の請求項２に係わる玄関用収納棚は、請求項１の構成に加えて、棚板の前面を被覆する横框部の上方に配置した横框部を、棚板に載置した載置物の転倒若しくは落下防止部としてある構成を前述した従来の課題を解決するための手段としている。
【０００８】
【発明の作用】
本発明の請求項１に係わる玄関用収納棚において、鋳物製のパネルは、上面板及び棚板の前面の円弧の両端部に位置する左右の竪框部と、左右の竪框部間に位置して上面板及び棚板の前面と同一曲率の略円弧形状を有する複数の横框部とで複数の開口部を形成し、玄関に隣接する外壁入隅部に固定してあるので、鋳物製のパネルの前面に形成した複数の開口部から本発明の玄関用収納棚を取り付けた外壁入隅部の壁面が透かして見えることとなり、従って玄関用収納棚が玄関の外壁に違和感無く馴染んで見えるという効果が得られ、且つ、玄関に隣接する外壁入隅部に固定してあるものであるから玄関前のスペースを狭めることも無いので、外部からのバリア感を取り除くこともできるという効果が得られる。合わせて、本発明の玄関収納棚を構成する部材は前面に配置する鋳物製のパネルと、上面板と、適宜間隔を置いて配置する棚板だけであり、竪框部と横框部との組立の工数や壁面側を覆う部材が不要であるから製造コストも安価にできるという効果が得られる。また、上面板や棚板に装飾物などを載置したり、あるいは複数の開口部に例えば表札やインターホンや照明器具などを取り付けることも自在であり、横框部の位置や厚み、間隔などを適宜変更することによってデザイン変更や重厚なデザインの提案が容易であるという大きな効果が得られる。
【０００９】
本発明の請求項２に係わる玄関用収納棚において、棚板の前面を被覆する横框部の上方に配置した横框部を、棚板に載置した載置物の転倒若しくは落下防止部としてあるので、例えば最下段の棚を傘立てとして利用したり、中段の棚にフラワーポットなどを載置したりした場合にも載置物の転倒若しくは落下を防止できるとともに、前面のデザイン変更や重厚なデザインの提案がより一層容易であるという大きな効果が得られるものである。
【００１０】
【発明の実施の形態】
以下、本発明の実施の形態を図面を参照して説明する。
【００１１】
図１〜図４は本発明に係わる玄関用収納棚の第一実施形態を示しており、図４に示す如く、本発明に係わる玄関用収納棚１を玄関ドアＤに隣接する外壁面５、５の入隅部に設置したものである。図１は玄関収納棚１を設置した状態の概観を表わす斜視図であり、図２にその正面図、左側面図及び平面図を表わし、図３では更にその詳細を表わす要部の断面図を示している。
【００１２】
本発明の第一実施形態の玄関用収納棚１は、図１及び図２に示す如く、鋳物製のパネル２と、前面が略円弧形状で上面視略扇型の上面板３と、上面板３の下方に適宜間隔をおいて配置し前面が略円弧形状で上面視略扇型の４枚の棚板４、４、４、４とを備えている。鋳物製のパネル２は、図１及び図２に示す如く上面板３及び棚板４、４、４、４の前面の円弧の両端部に位置する左右の竪框部２１、２１と、左右の竪框部間に位置して上面板３及び棚板４の前面と同一曲率の略円弧形状を有する複数の横框部２２、２２、・・・とで複数の開口部２３、２３、・・・を形成してあり、上面板３及び棚板４、４、４、４は上面視略扇形の前面端面を横框部２２、２２、２２、２２、２２で被覆すると同時に、上面視略扇形の前面下部を横框部２２、２２、２２、２２、２２が受けて上方からねじ止め固定してある。このようにして形成した玄関用収納棚１は玄関Ｄに隣接する躯体壁Ｋの入隅部に取り付けて固定してある。そして更に、最下段の棚板４の前面を被覆する横框部２２の上方に配置した横框部２２、２２を最下段の棚板４に載置した載置物の転倒防止部２２１、２２１としてあり、中段の棚板４の前面を被覆する横框部２２の上方に配置した横框部２２、２２を中段の棚板４に載置した載置物の落下防止部２２２、２２２としてある。また、最下段に配置した横框部２２及び棚板４は玄関口の土間より少し浮かせてあり、棚板４の後端部は躯体壁Ｋの入隅部土間上に配置したスペーサーＳによって支持するように設けてある。
【００１３】
第一実施形態の玄関用収納棚１の主たる構成は上述の通りであるが更に、本実施形態においては中段の一つの開口部２３にインターホン付きネームプレートＮを取り付けてある。インターホン付きネームプレートＮは図１〜図３に示す如く、上下方向をパネル２の中段に配置した２つの横框部２２、２２に当接するとともに、左右方向をパネル２の左右の竪框部２１、２１に当接するように設け、且つ、前面がパネル２の竪框部２１、２１及び横框部２２、２２に連続するように設け、更に、前面にネームプレート及びインターホンの取り付け部を突出させて成形したものであり、図３のＢ−Ｂ線拡大断面図に示す如く、裏側から左右の竪框部２１、２１にねじ止め固定してある。このように設けたインターホン付きネームプレートＮの後方は見え隠れ部となっており、本実施形態においてはこの外壁面５の見えない位置の躯体壁Ｋに補助板Ｐをねじ止め固定してあり、図２の左側面図及び図３のＢ−Ｂ線拡大断面図に示す如く、補助板Ｐの上下端面は、インターホン付きネームプレートＮを挟む上下２つの横框部２２、２２で前面を被覆している上下２枚の棚板４、４の後方端部に当接しており、金具及び固定ねじで棚板４、４を固定している。棚板４、４は棚板４、４の前面を被覆するパネル２の横框部２２、２２に固定してあるので、パネル２は補助板Ｐ及び棚板４、４を介して躯体壁Ｋに固定してあることとなるものである。
【００１４】
また、上面板３の下面には照明器具Ｌが取り付けてあり、パネル２の最上端の横框部２２は正面視では照明器具Ｌが隠れるように他の横框部２２より見付け面の高さを大きく取ってある。照明器具Ｌはこのように設けてあるので、この照明器具Ｌによる照明は玄関に入ろうとする人の目を直接照らすことなく、足元のみを明るく照らすことができるものである。
【００１５】
第一実施形態の玄関用収納棚１は上述の如く構成してあり、本発明の玄関用収納棚１のパネル２は鋳物製の一枚パネルであるから、パネル２の竪框部２１、２１と横框部２２、２２、・・・とを組み立てる工数もかからないので製造コストも安価にできる。また、図１に示す如くパネル２の開口部から建物の外壁面５がそのまま連続して見えるので本発明の玄関収納棚１の設置によっても玄関の外壁面５に違和感無く馴染んで見えるという効果が得られ、且つ、玄関に隣接する躯体壁Ｋの入隅部に当接しているものであるから玄関前のスペースを狭めることも無いので、外部からのバリア感を取り除くこともできるものである。さらに、最下段の棚板４とその上方に配置した横框部２２、２２（転倒防止部２２１、２２１）とで構成する部分は傘立てとして使用することができ、また、中段の棚板４とその上方に配置した横框部２２、２２（落下防止部２２２、２２２）とで構成する部分をフラワーポットや置き物など、玄関脇の装飾物などの載置台として載置した装飾物などの落下を案ずることなく使用することができるものであり、玄関の狭いスペースを上述のように構成した本発明の玄関収納棚の設置によって有効に利用できるようになるという効果も得られる。
【００１６】
本発明は、上述した実施の形態に限らず、本発明の趣旨を逸脱しない範囲で種々の変更が可能である。例えば、  上述の実施形態では開口部の一つにインターホンを設けた場合を示したが、本発明の玄関収納棚の開口部には何も取り付けてなくとも良く、その場合は玄関収納棚の躯体壁への固定部は例えば最上端の照明器具の前面を覆っている横框部の後方見え隠れ部を利用して躯体壁との固定部を設けることも可能である。或いは、インターホン付きネームプレートを鋳物製のパネルと別体に設けた例を示したが、鋳物製のパネルに一体に設けてあっても良い。また、上記実施の形態で示した照明器具やインターホン或いは傘立てに限らず、例えば躯体壁に郵便物の取り出し口を設けて本発明の玄関収納棚の一つの開口部に郵便受けを取り付けたり、その他特定の目的に用いる機能部材を適宜取り付けたり、取り付け位置を変えたりすることも可能である。また、本発明にかかる玄関収納棚を上下方向にいくつか重ねて用いても同様の効果を奏することができる。
【００１７】
【発明の効果】
以上説明してきたように、本発明の請求項１に係わる玄関用収納棚では、上記した構成としたから、玄関の外壁に違和感無く馴染んで見え、外部からのバリア感を取り除くこともできるという効果が得られ、また、製造コストも安価にでき、且つ、デザイン変更や重厚なデザインの提案が容易であるという大きな効果が得られる。
【００１８】
本発明の請求項２に係わる玄関用収納棚において、上記した構成としたから、載置物の転倒若しくは落下を防止できるとともに、前面のデザイン変更や重厚なデザインの提案がより一層容易になるという非常に優れた効果がもたらされる。
【図面の簡単な説明】
【図１】第一実施形態の玄関用収納棚を玄関脇の入隅部に取り付けた状態を示す斜視図である。
【図２】第一実施形態の玄関用収納棚の三面図（正面図、左側面図、平面図）である。
【図３】図２のＡ−Ａ線、Ｂ−Ｂ線及びＣ−Ｃ線の各拡大断面図である。
【図４】第一実施形態の玄関用収納棚を玄関ドアの脇の入隅部に取り付けた状態を示す平面説明図である。
【符号の説明】
１      玄関用収納棚
２      パネル
２１    竪框部
２２    横框部
２２１  転倒防止部
２２２  落下防止部
２３    開口部
３      上面板
４      棚板
５      外壁面
【図１】
2004148017.tif 000003
【図２】
2004148017.tif 000004
【図３】
2004148017.tif 000005
【図４】
2004148017.tif 000006